(57)【要約】  映像データを編集する際に、個々の動画データの確認と選択を容易にして、映像データ編集を効率的に行うことのできるユーザーインターフェースシステムを提供するために、ディスプレイ上に表示された動画データを象徴するサムネイルアイコンをマウスオーバーすることでサムネイルアイコンの領域で動画再生を実行したり、ダブルシングルクリックすることでズームイン・ズームアウトさせる等、動画データを取捨選択する際に多彩な表示を可能にして、映像データの編集を容易にする。
2009020103.tif 000002
【特許請求の範囲】
【請求項１】
コンピュータを用いて映像データを編集するためのインターフェースシステムであって、
前記コンピュータの中央処理装置が、少なくともそれぞれが一つの動画ファイルから生成された静止画からなるサムネイルアイコンを画面上に複数個配置するステップと、
補助入力装置の操作によって画面上の移動を制御されるカーソル位置が前記いずれかのサムネイルアイコン上にあるか否かを検出するステップと、
前記カーソル位置が前記いずれかのサムネイルアイコン上にあることを検出したときに、当該サムネイルアイコンに対応した動画ファイルをサムネイルアイコン上で再生するステップと、
からなるコンピュータを用いた映像データ編集のためのインターフェースシステム。
【請求項２】
前記カーソル位置が前記いずれかのサムネイルアイコン上にあることを検出するとともに、前記補助入力装置のボタン又はスイッチのクリック操作が行われたか否かを検出するステップと、
前記サムネイルアイコン上のカーソル位置でのクリック操作を所定時間内に複数回検出したときに、当該サムネイルアイコン上での動画ファイルの再生領域を画面上で拡大するズームイン表示を行うステップと、
前記カーソル位置がサムネイルアイコン以外のデスクトップ地画面上にあることを検出するとともに、前記補助入力装置のボタン又はスイッチのクリック操作が行われたか否かを検出するステップと、
前記デスクトップ地画面上のカーソル位置でのクリック操作を所定時間内に複数回検出したときに、前記画面上で複数のサムネイルアイコンを縮小表示するズームアウト表示を行うステップと、
からなる請求項１記載のコンピュータを用いた映像データ編集のためのインターフェースシステム。
【請求項３】
コンピュータを用いて映像データを編集するためのインターフェースシステムであって、
前記コンピュータの中央処理装置が、少なくともそれぞれが一つの動画ファイルから生成された静止画からなるサムネイルアイコンを画面上に複数個配置するステップと、
前記サムネイルアイコンとともに、画面上でのサムネイルアイコンの任意の集合の中核となるための１又は複数のマグネットアイコンを配置するステップと、
補助入力装置によって画面上の移動を制御されるカーソル位置が前記いずれかのサムネイルアイコン上にあることを検出した後、前記補助入力装置のボタン又はスイッチのクリック操作が行われることにより当該サムネイルアイコンが前記カーソルの移動と同期して画面上を移動可能な状態となったことを検出するステップと、
前記画面上でサムネイルアイコンを前記マグネットアイコンの方向に付勢移動させつつ、前記補助入力装置のボタン又はスイッチのクリック操作が解除されたことを検出するステップと、
前記クリック操作の解除によって、前記画面上のサムネイルアイコンを前記マグネットアイコンに吸着させるように画面上を移動させるステップと、
からなるコンピュータを用いた映像データ編集のためのインターフェースシステム。
【請求項４】
コンピュータを用いて画面上に配置され、ファイルを象徴するオブジェクトを画面上を移動させて編集するための編集支援インターフェースシステムであって、
前記コンピュータの中央処理装置が、補助入力装置の指示入力によって少なくとも画面上で被移動対象となる第１のオブジェクトを指定するステップと、
画面上に存在し移動先候補となる複数の第２のオブジェクトを認識するステップと、
前記複数の第２のオブジェクト毎に前記第１のオブジェクトの画面上の位置から方向を示唆するシンボル画像をそれぞれ前記第１のオブジェクトの近傍に配置するステップとからなるコンピュータを用いたファイル編集のための編集支援インターフェースシステム。
【請求項５】
前記シンボル画像は、前記第２のオブジェクト毎に第１のオブジェクトの画面上の位置から方向と距離を示唆するシンボル画像である請求項４記載のコンピュータを用いたファイル編集のための編集支援インターフェースシステム。
【発明の詳細な説明】
【技術分野】
【０００１】
本発明は、動画、画像等の映像データを編集する際に用いられる映像データ編集ソフトウエアのユーザーインターフェースに関する。
【背景技術】
【０００２】
パーソナルコンピュータで用いられる動画編集ソフトウエアでは、ハードディスク等の媒体に記憶された動画データファイルを読み出して、不要な部分を削除し、エフェクト等の画像効果を付加して、タイムライン上で動画データの再生順を決定し、新たな動画ファイルとして書き出す作業を行うものが一般的であった。【０００３】
すなわち、映像データの編集作業では、多数の動画データファイルを扱うことになり、これらの動画データを画面上で選択する作業が必須となる。【０００４】
この場合、エクスプローラ（登録商標）のようなファイルの名称のみがリスト化されたものでは個々の動画データファイルの内容が把握しづらい問題があった。【０００５】
この点、個々の動画データファイルからサムネイル画像を生成して選択可能な状態のアイコンとして画面上に表示することも可能であるがサムネイル画像自体も静止画であり、ユーザー（オペレータ）の動画データファイルの再生状態で受けるイメージを想像して当該ファイルを選択したいという意図に叶うものではなかった。
【特許文献１】特開２００４−１３３９３２号公報
【発明の開示】
【発明が解決しようとする課題】
【０００６】
本発明は、映像データを編集する際に、個々の動画データの確認と選択を容易にして、映像データ編集を効率的に行うことのできるユーザーインターフェースシステムを提供することを技術的課題とする。
【課題を解決するための手段】
【０００７】
前記課題を解決するために、本発明では、以下の手段を採用した。【０００８】
本発明の第１は、コンピュータを用いて映像データを編集するためのインターフェースシステムであって、前記コンピュータの中央処理装置が、少なくともそれぞれが一つの動画ファイルから生成された静止画からなるサムネイルアイコンを画面上に複数個配置するステップと、補助入力装置の操作によって画面上の移動を制御されるカーソル位置が前記いずれかのサムネイルアイコン上にあるか否かを検出するステップと、前記カーソル位置が前記いずれかのサムネイルアイコン上にあることを検出したときに、当該サムネイルアイコンに対応した動画ファイルをサムネイルアイコン上で再生するステップと、からなるコンピュータを用いた映像データ編集のためのインターフェースシステムである。【０００９】
これによれば、デスクトップ画面上に配置されたサムネイルアイコンにマウスカーソルが配置されたとき（マウスオーバー状態）に当該サムネイル上で動画が再生されるため、動画内容の把握がきわめて容易になり、動画データファイルの取捨選択が容易となる結果、映像データの編集を効率化することができる。【００１０】
本発明の第２は、カーソル位置が前記いずれかのサムネイルアイコン上にあることを検出するとともに、前記補助入力装置のボタン又はスイッチのクリック操作が行われたか否
かを検出するステップと、前記サムネイルアイコン上のカーソル位置でのクリック操作を検出したときに、当該サムネイルアイコン上での動画ファイルの再生領域を画面上で拡大するズームイン表示を行うステップと、前記カーソル位置がサムネイルアイコン以外のデスクトップ地画面上にあることを検出するとともに、前記補助入力装置のボタン又はスイッチのクリック操作が行われたか否かを検出するステップと、
前記デスクトップ地画面上のカーソル位置でのクリック操作を所定時間内に複数回検出したときに、前記画面上で複数のサムネイルアイコンを縮小表示するズームアウト表示を行うステップと、からなるコンピュータを用いた映像データ編集のためのインターフェースシステムである。【００１１】
これによれば、サムネイル上の動画再生だけでは確認がしづらい場合、たとえば同種の動画のサムネイルアイコンが多数配置されているような場合、動画が再生されている状態のサムネイルアイコン上にカーソルを配置してマウスによるクリック操作を行うことで当該サムネイルアイコン上の動画再生領域を画面上で拡大する（ズームイン）ことで動画内容を把握しやすくなる。また、デスクトップ地画面上にカーソルを移動してこの位置でクリックすることにより、前述の画面上で複数のサムネイルアイコンの表示が可能なように前記動画再生領域をズームアウトさせて元の状態に復帰させることができる。【００１２】
このように、サムネイルアイコンの領域だけでは動画内容が把握しにくい場合にズームイン・ズームアウトが簡単な操作で可能としたことにより、映像データの編集をさらに効率化することができる。【００１３】
本発明の第３は、コンピュータを用いて映像データを編集するためのインターフェースシステムであって、前記コンピュータの中央処理装置が、少なくともそれぞれが一つの動画ファイルから生成された静止画からなるサムネイルアイコンを画面上に複数個配置するステップと、前記サムネイルアイコンとともに、画面上でのサムネイルアイコンの任意の集合の中核となるための１又は複数のマグネットアイコンを配置するステップと、補助入力装置によって画面上の移動を制御されるカーソル位置が前記いずれかのサムネイルアイコン上にあることを検出した後、前記補助入力装置のボタン又はスイッチのクリック操作が行われることにより当該サムネイルアイコンが前記カーソルの移動と同期して画面上を移動可能な状態となったことを検出するステップと、前記画面上でサムネイルアイコンを前記マグネットアイコンの方向に付勢移動させつつ、前記補助入力装置のボタン又はスイッチのクリック操作が解除されたことを検出するステップと、前記クリック操作の解除によって、前記画面上のサムネイルアイコンを前記マグネットアイコンに吸着させるように画面上を移動させるステップと、からなるコンピュータを用いた映像データ編集のためのインターフェースシステムである。【００１４】
ここで、画面上のたとえば左上方にはマグネットアイコンが表示されており、特定のサムネイルアイコンをマウス操作でドラッグしたまま画面の左上方向に向けて加勢して瞬時に移動してドラッグを解除することによって（スラッシュ）、当該サムネイルアイコンは画面上を飛ぶように移動して前記マグネットアイコンに吸着されるように動的に表示される。このようなドラッグ・アンド・スラッシュによりマグネットアイコンを中心に複数のサムネイルアイコンを集めることによって、同種の動画データファイルや連動する動画データファイルのデスクトップ上での整理が容易となり、動画データファイルの取捨選択が容易となる結果、映像データ編集を効率化することができる。【００１５】
本発明の第４は、コンピュータを用いて画面上に配置され、ファイルを象徴するオブジェクトを画面上を移動させて編集するための編集支援インターフェースシステムであって、前記コンピュータの中央処理装置が、補助入力装置の指示入力によって少なくとも画面上で被移動対象となる第１のオブジェクトを指定するステップと、画面上に存在し移動先候補となる複数の第２のオブジェクトを認識するステップと、前記複数の第２のオブジェクト毎に前記第１のオブジェクトの画面上の位置から方向を示唆するシンボル画像をそれぞれ前記第１のオブジェクトの近傍に配置するステップとからなるコンピュータを用いたファイル編集のための編集支援インターフェースシステムである。【００１６】
ここで、ファイルを象徴するオブジェクト（第１のオブジェクト）とは、たとえば動画のサムネイルアイコンであり、このサムネイルをマウスでドラッグして所定方向に移動させるときに、移動先の候補として画面上のどの位置に第２オブジェクトが配置されているかを視覚的に認識するためにシンボル画像（たとえばハート形や矢印形等）を提案するものである。具体的には、第１のオブジェクトをマウスでドラッグしたときに、その第１のオブジェクトの近傍（周辺）にハート形のシンボル画像が表示され、そのハート形の開いた方向の延長上に第２のオブジェクトが存在しているような場合である。このようなシンボル画像の表示によって、移動先の方向を的確に把握することができる。【００１７】
さらに、第４の発明は、前記シンボル画像として、前記第２のオブジェクト毎に第１のオブジェクトの画面上の位置から方向と距離を示唆するシンボル画像としたものである。このように、シンボル画像は方向のみでなく距離も示唆することによって、ユーザは目的のオブジェクト（第２のオブジェクト）に対して、どの程度移動させればよいかが把握できる。より具体的には、前述の例では、第１のオブジェクトを中心としてその周辺にそれぞれ第２のオブジェクトに比例した距離でシンボル画像（ハート形）を配置する場合がこれにあたる。
【発明の効果】
【００１８】
本発明によれば、映像データを編集する際に、個々の動画データの確認と選択を容易にして、映像データの編集を効率化することができる。
【図面の簡単な説明】
【００１９】
【図１】本発明のコンピュータのハードウエア構成を示す図
【図２】実施例１のディスプレイ装置に表示されるサムネイルアイコンの表示状態を示した図
【図３】実施例１のズームイン・ズームアウトを示す図
【図４】実施例１のドラッグ・アンド・スラッシュ操作を示す図
【図５】実施例１のサムネイルアイコンでの動画再生の際の編集用アイコンの表示状態を示す図
【図６】実施例１のエフェクトモードを示す図（１）
【図７】実施例１のタイムラインモードを示す図
【図８】実施例１のエフェクトモードを示す図（２）
【図９】実施例２の再生範囲表示バーを説明する図
【図１０】実施例２のタイムラインバーの説明図（１）
【図１１】実施例２のタイムラインバーの説明図（２）
【図１２】実施例２のタイムラインバーの説明図（３）
【図１３】実施例２のタイムラインバーの説明図（４）
【図１４】実施例２のタイムラインバーの説明図（５）
【図１５】実施例２のタイムラインバーの説明図（６）
【図１６】実施例２のタイムラインバーの説明図（７）
【図１７】実施例２のタイムラインバーの説明図（８）
【図１８】実施例２のタイムラインバーの説明図（９）
【図１９】実施例２のタイムラインバーの説明図（１０）
【図２０】実施例２のタイムラインバーの説明図（１１）
【図２１】実施例２のスケッチ機能の説明図（１）
【図２２】実施例２のスケッチ機能の説明図（２）
【図２３】実施例２の選択機能の説明図
【図２４】実施例２のエフェクトタイムラインバーの説明図（１）
【図２５】実施例２のエフェクトタイムラインバーの説明図（２）
【図２６】実施例２のタイムラインバー最小化の説明図
【図２７】実施例２のタイムラインウィンドウのコピー機能の説明図
【図２８】実施例２のマグネットバーの説明図（１）
【図２９】実施例２のマグネットバーの説明図（２）
【図３０】実施例２のマグネットバーの説明図（３）
【図３１】実施例２のマグネットバーの説明図（４）
【図３２】実施例２のマグネットバーの説明図（５）
【図３３】実施例２のマグネットバーの説明図（６）
【図３４】実施例２のマグネットバーの説明図（７）
【図３５】実施例２のマグネットバーの説明図（８）
【図３６】実施例２のマグネットバーの説明図（９）
【図３７】実施例２のマグネットバーの説明図（１０）
【図３８】実施例２のマグネットバーの説明図（１１）
【図３９】実施例２のマグネットバーの説明図（１２）
【図４０】実施例２のマグネットバーの説明図（１３）
【図４１】実施例２のマグネットバーの説明図（１４）
【図４２】実施例２のマグネットバーの説明図（１５）
【図４３】実施例２のスケッチ選択機能の説明図（１）
【図４４】実施例２のスケッチ選択機能の説明図（２）
【図４５】実施例２の手書きエフェクト機能の説明図
【図４６】実施例２の全画面表示機能の説明図（１）
【図４７】実施例２の全画面表示機能の説明図（２）
【図４８】実施例２のズームイン機能の説明図（１）
【図４９】実施例２のズームアウト機能の説明図（２）
【図５０】実施例２のサムネイルアイコンのマグネットバーへの吸着動作を示す説明    図
【図５１】実施例２のサムネイルアイコンのコピー機能の説明図
【図５２】実施例２のタイムラインウィンドウの説明図
【図５３】実施例２のサムネイルアイコン編集モード画面の説明図
【図５４】実施例２のマグネットバーの説明図（１６）
【符号の説明】
【００２０】
ＣＰＵ  中央処理装置
ＭＭ  メインメモリ
ＢＵＳ  バス
ＨＤ  ハードディスク装置
ＤＩＳＰ  ディスプレイ装置
ＭＯＵ  マウス
ＫＢＤ  キーボード
【発明を実施するための最良の形態】
【００２１】
＜実施例１＞
本発明の実施形態を図を用いて説明する。【００２２】
図１は、本実施形態のハードウエア構成を示すブロック図である。【００２３】
本実施形態において、ユーザーインターフェースは映像データ編集プログラムの一部として採用されており、当該プログラムはパーソナルコンピュータのハードディスク装置（ＨＤ）内にインストールされている。【００２４】
パーソナルコンピュータは、中央処理装置（ＣＰＵ）、グラフィック処理装置（ＧＰＵ）およびメインメモリ（ＭＭ）を中心に、バス（ＢＵＳ）で接続された大規模記憶装置としてのハードディスク装置（ＨＤ）、入力装置としてのキーボード（ＫＢＤ）、補助入力装置としてのマウス（ＭＯＵ）、出力装置としてのディスプレイ装置（ＤＩＳＰ）を有している。【００２５】
ハードディスク装置（ＨＤ）内には、オペレーティングシステム（ＯＳ）とともに、映像編集プログラムがインストールされており、当該映像編集プログラムがバス（ＢＵＳ）およびメインメモリ（ＭＭ）を介して順次中央処理装置（ＣＰＵ）に読み込まれることによって、当該映像編集プログラムの機能が実現される。【００２６】
また、ハードディスク装置（ＨＤ）内には、前記映像編集プログラムとともに、ＭＯＶ、ＭＰＧ、ＡＶＩ等の拡張子が付与された多数の動画データファイルが格納されている。【００２７】
なお、図示は省略したが、前記パーソナルコンピュータは、ネットワークを介して多数の動画データを蓄積するマルチメディアサーバに接続されていてもよい。この場合、前述の動画データファイルは当該マルチメディアサーバに蓄積されており、この動画データファイルをネットワークを介して当該パーソナルコンピュータにダウンロードしてディスプレイ装置（ＤＩＳＰ）でサムネイルアイコンとして表示してもよい。【００２８】
さらに、映像編集プログラムは、ネットワークを介して接続されているＡＳＰサーバに登録されていてもよい。【００２９】
本実施形態の特徴は、前記映像編集プログラムの実行にともなって、前述の複数の動画データがハードディスク装置（ＨＤ）又はマルチメディアサーバから読み出されてサムネイルアイコンが生成され、当該サムネイルアイコンがディスプレイ装置（ＤＩＳＰ）の画面上に表示される際に有効な技術である。【００３０】
図２は、本実施形態のディスプレイ装置（ＤＩＳＰ）に表示される画面を示したものである。【００３１】
ハードディスク装置（ＨＤ）内の映像編集プログラムがバス（ＢＵＳ）およびメインメモリ（ＭＭ）を介して中央処理装置（ＣＰＵ）に読み込まれると、当該映像編集プログラムは、当該ハードディスク装置（ＨＤ）内に格納された動画データからサムネイルアイコンを生成し、当該サムネイルアイコンをマトリクス状に配置して表示する。【００３２】
また、動画データは、中央処理装置（ＣＰＵ）の代わりに、グラフィック処理装置（ＧＰＵ）においてエフェクト処理がなされてディスプレイ装置（ＤＩＳＰ）またはハードディスク装置（ＨＤ）に出力されるようになっている。このように、本実施形態では、動画データのエフェクト処理はグラフィック処理装置（ＧＰＵ）で行われるため、高速な処理が実現できるようになっている。【００３３】
ディスプレイ装置（ＤＩＳＰ）に図２に示すように、サムネイルアイコンが表示された状態で、ユーザーはマウス（ＭＯＵ）を操作して任意の複数のサムネイルアイコン上をマウスカーソルを移動可能な状態とする。このとき、マウスカーソルの座標位置が中央処理装置（ＣＰＵ）によって認識され、当該マウスカーソルがサムネイルアイコン上にあることを検出した場合には、中央処理装置（ＣＰＵ）は当該サムネイルアイコンの属性から元の動画データファイルを読み出してサムネイルアイコンの領域上で当該動画データを再生表示する。【００３４】
このようにサムネイルアイコン上でマウスオーバーすることによって、当該サムネイルアイコンが代表する動画データを再生させることができ、実際の動画を参照することによって、当該動画データを採用すべきか否かの判断が容易となる。【００３５】
図３は、ディスプレイ画面上におけるサムネイルアイコンのズームイン・ズームアウト機能を説明するための図である。【００３６】
ここでは中央処理装置（ＣＰＵ）は、マウスカーソルの位置がいずれのサムネイルアイコン上にあるかを認識し、当該位置でのマウスの左ボタンのシングルクリック操作が認識されると、ズームイン動作が実行され、当該サムネイルアイコンの領域で再生された動画がディスプレイ画面上で次第に拡大されて表示される。【００３７】
このように、ズームイン機能を用いることによって、サムネイルアイコンでの動画再生だけでは把握しづらい動画内容を確認しやすくし、これによって動画データの取捨選択を容易に行えるようになる。【００３８】
また、前記マウスカーソル位置がサムネイルアイコン以外のデスクトップ地画面上にあることを検出して、この位置でマウス（ＭＯＵ）のシングルクリック動作が行われたときには、前記ディスプレイ画面上で再度より多くのサムネイルアイコンが表示されるように、ズームアウト表示がなされ図２に示した状態に復帰する。【００３９】
このようなズームイン・ズームアウト機能により、サムネイル上の動画再生だけでは確認がしづらい場合、たとえば同種の動画のサムネイルアイコン（図２で示すような炎のゆらめく動画データのサムネイルアイコン）が多数配置されているような場合、動画再生がなされている状態のサムネイルアイコン上にマウスカーソルをもっていきシングルクリックを行うことで当該サムネイルアイコン上の動画再生領域を画面上で拡大する（ズームイン）ことができ、動画内容の把握を容易にすることができる。【００４０】
また、デスクトップ地画面上（サムネイルアイコンが配置されている以外の画面領域）にカーソルを移動してこの位置でシングルクリックすることにより、前述の画面上で複数のサムネイルアイコンの表示が可能なように前記動画再生領域をズームアウトさせて元の状態に復帰させることができる。【００４１】
このように、サムネイルアイコンの領域だけでは動画内容が把握しにくい場合にズームイン・ズームアウトが簡単な操作で可能としたことにより、映像データの編集をさらに効率化することができる。【００４２】
なお、ズームイン・ズームアウト動作はマウス（ＭＯＵ）の左ボタンのクリック操作によって実現される場合で説明したがホイールマウス（ＭＯＵ）の場合のホイールダイヤルの回転操作でズームイン・ズームアウト動作を制御してもよい。【００４３】
また、ズームインした際に、編集モードに切り替えられるようになっていてもよい。この編集モードとは、当該動画データの不要部分を削除したり、特定のエフェクトを付加する編集を意味する。編集モードでは単一の動画のみを扱うため、ディスプレイ画面上で別のサムネイルアイコンがシングルクリックされるとそのクリックされたサムネイルアイコンにズームインして当該動画データの編集モードに遷移してもよい。このような動作を行うことにより、サムネイルアイコンのクリック操作で動画データ間を移動してもよい。【００４４】
図４は、本実施形態の特徴の一つである「ドラッグ・アンド・スラッシュ」機能について説明するための図である。【００４５】
同図に示すように、ディスプレイ画面上の右方には複数のサムネイルアイコン（以下、「サムネイルアイコン群」という）が配置されている。そして、左上には第１のマグネットアイコン（「ＭＵＳＴ」と表示）、左下には第２のマグネットアイコン（「インパクト」と表示）が配置されている。これらのマグネットアイコンは特定の動画データを仕分けするためのインデックスとなる語を表示するためのものである。たとえば、「ＭＵＳＴ」は必須の動画データの集合を象徴しており、「インパクト」はインパクトのある動画データの集合を象徴している。両マグネットアイコンの周囲には円上に吸着領域が設けられている。この吸着領域の機能については後述する。【００４６】
ここでサムネイルアイコンは、マウス（ＭＯＵ）の左クリックでドラッグすることによって、画面上のいずれの位置にでも移動させることができる。このとき、サムネイルアイコン群からいずれかのサムネイルアイコン上にマウスカーソルを移動させてドラッグして当該サムネイルアイコンをマグネットアイコン「ＭＵＳＴ」に向けて勢いを付けて移動させ、すぐにドラッグを解除することによって（ドラッグ・アンド・スラッシュ操作）、当該サムネイルアイコンは、マグネットアイコン「ＭＵＳＴ」の方向に飛んで行くようにして移動する。このとき、ドラッグした状態でのマウスカーソルの初速度と抵抗パラメータを設定することによって、当該サムネイルアイコンはディスプレイ画面上を次第に速度を落としながら移動する。そして、当該サムネイルアイコンが前述のマグネットアイコン「ＭＵＳＴ」の吸着領域に入ると、その中心にあるマグネットアイコン「ＭＵＳＴ」に吸着するように移動して当該マグネットアイコン「ＭＵＳＴ」の近接位置で停止する。【００４７】
このように、マウス（ＭＯＵ）のドラッグ・アンド・スラッシュ動作と、マグネットアイコンの吸着機能を組み合わせることによって、サムネイルアイコン群から任意のサムネイルアイコンを分別してその中から映像データ編集における採用候補の動画データとして集めておくことができる。【００４８】
図５は、マウスオーバー（画面上でマウスカーソルがサムネイルアイコン上に配置された状態）でシングルクリックすることによって、編集モードに移行した状態を示している。【００４９】
同図に示す動画編集モードでは、カット編集コントローラが表示される。このカット編集コントローラは、ＩＮ点指示ボタン、コマ戻し／７０％逆再生ボタン、再生／ポーズボタン、コマ送り／７０％再生ボタン、ＯＵＴ点指示ボタン、コピーボタンからなり、これらのボタンをクリックすることによって動画データを適宜カット編集することが可能となる。【００５０】
図６は、エフェクトモードについて説明するためのディスプレイ画面の表示状態を示したものである。【００５１】
このエフェクトモードは、単一の動画データ（単一のサムネイルアイコン）に対するエフェクトと、複数の動画データ（複数のサムネイルアイコン）に対するエフェクトとでは機能が異なるため分けて説明する。
（単一の動画データの場合）
前述の編集モードにおいて、常設のエフェクトボタン（Ｂ）に対してマウスオーバーすることによって、サムネイルアイコンにエフェクト処理が仮追加される。この状態で前記エフェクトボタン（Ｂ）をシングルクリックすることによって、サムネイルに対してエフェクトを追加するエフェクトモードに遷移する。このエフェクトモードでは、エフェクトウィンドウ（図６の左側に示すウィンドウ（Ｃ）および（Ｄ）部分）が開く。【００５２】
このとき、ボタン（Ａ）を押すことによって、前記エフェクトウィンドウ（Ｃ）および（Ｄ）は表示／非表示状態となる。【００５３】
ウィンドウ（Ｃ）において、適用されるエフェクトが表示可能となっている。また、ウィンドウ（Ｄ）には、エフェクトプロパティが表示されるようになっている。このエフェクトプロパティチェックボタン（Ｅ）を押すことによって、エフェクト（たとえばアニメーションエフェクト）が選択されて、アイコン（Ｆ）として表示される。【００５４】
アイコン（Ｆ）を操作することによってウィンドウ（Ｇ）中にアニメーションカーブが表示される。ここではシングルクリック操作でキーフレームを打ち、右クリックでペジエ曲線が表示されるようになっている。
（複数の動画データの場合）
前述の編集モードにおいて、常設のエフェクトボタン（Ｂ）に対してマウスオーバーすることによって、サムネイルアイコンにエフェクト処理が仮追加される。この状態で前記エフェクトボタン（Ｂ）をダブルクリックすることによって、サムネイルに対してエフェクトを追加するエフェクトモードに遷移する。【００５５】
エフェクトウィンドウ（図８のウィンドウ（Ｓ）および（Ｕ）が表示され、このとき、タイムライン自体が半透明になりアニメーションカーブ表が上面に出現する。【００５６】
ここで、ボタン（Ｒ）を押すことによって、エフェクトウィンドウは表示／非表示状態となる。【００５７】
エフェクトウィンドウ（Ｓ）において、ウィンドウ（Ｔ）にはエフェクトコントロールプロパティが表示される。【００５８】
このウィンドウ（Ｔ）のチェックボックスを押すことによって、エフェクトウィンドウ中にアニメーションエフェクトボタン（Ｖ）が表示される。このボタン（Ｖ）を押すと、エフェクトウィンドウ（Ｗ）中にアニメーションカーブが表示される。【００５９】
サムネイルアイコンに常設されたタイムライン作成ボタンをクリックすると、新規タイムラインサムネイルが出現する。このタイムラインサムネイルをドラッグ・アンド・ドロップ操作、または前述のドラッグ・アンド・スラッシュ操作を行うことにより、図７に示すタイムラインルーラーへ吸着される。このタイムラインサムネイルにおいても、さらに別の動画データをドラッグ・アンド・ドロップ操作で重ね合わせることによって、同様に動画データを追加することができる。そして、このタイムラインサムネイルにおいても、マウスオーバーすることによって動画データが再生される。【００６０】
ここで、タイムラインサムネイルをシングルクリックすると編集モードに移行する。この編集モードではタイムラインウインドウ（Ｈ）が開かれる（図７参照）。このとき、ボタン（Ｉ）を操作することによって、タイムライン編集モードを終了し、タイムラインサムネイルに復帰する。また、このタイムラインサムネイルにおいても、マウスオーバー操作によって、図５で説明したカット編集コントローラが表示されカット編集が可能となる。【００６１】
前述のタイムラインウィンドウ（Ｈ）に対してさらに別のサムネイルアイコンまたはタイムラインサムネイルをドラッグ・アンド・ドロップ操作することによってタイムラインバーが表示される。このとき図７のボタン（Ｋ）を押すと、連番コマ表示（Ｍ）、または先頭・最後フレームのみのサムネイルウインドウが表示される。このとき、ボタン（Ｌ）を押すことによって、エフェクトモードが表示／非表示となり、連番コマ表示（Ｍ）は、半透明表示（Ｎ）となる。【００６２】
また、タイムラインウィンドウに表示されるタイムラインバーは、バーの左端または右端をドラッグすることによって、動画のイン、アウト点を変更することができる。【００６３】
タイムラインバーは、グループ化することも可能である。すなわち、複数のサムネイルアイコンを選択した状態で、右クリックで表示されるメニューグループ化ボタンを指定することによって、サムネイルアイコンをグループ化することができる（グループ化表示ウィンドウ（Ｏ））。このグループ化表示において表示されているボタン（Ｐ）を押すことによって、縮小表示がなされ、一方ボタン（Ｑ）を押すことによって、グループ全体にかけるエフェクトモードの表示／非表示が制御できるようになっている。そして、グループ化表示ウィンドウ（Ｏ）をタイムラインバーの領域外にドラッグ・アンド・ドロップ操作することによって、当該グループ化表示ウィンドウ（Ｏ）はタイムラインウィンドウとなる。なお、タイムラインウィンドウの左端に表示されたボタン（Ｊ）を押すと、前述のエフェクトモードに移行することができる。【００６４】
<実施例２>
本実施例２では、本発明の映像編集プログラムにおいて、実施例１をさらに改良した特徴的なユーザーインタフェースについて図を用いて説明する。
（タイムラインウィンドウとタイムラインバー）
本実施例では、図５２に示すユーザインターフェースを有している。このインターフェースでは、タイムスケールが設けられたタイムラインバーを中心に、その上部に配置されたタイムラインサムネイルウィンドウ（図５３に詳細に表示されている）と、下部のタイムラインウィンドウ（編集領域）とを有している。そしてタイムラインバー上には、解像度指定メニューボックス、音量調節バー、ｉｎポイントボタン、スロー巻き戻し・コマ戻しボタン、再生・ポーズボタン、スロー早送り・コマ送りボタン、ｏｕｔポイントボタン等の動画の再生制御のための操作ボタン等が配置されている。【００６５】
また、タイムスケールが設けられたタイムラインウィンドウ自体には、ｉｎポイントとｏｕｔポイントとによって囲まれた再生範囲表示バーが表示されている。さらに、再生時点を示すシークバーが垂直方向に設けられている。【００６６】
また、タイムラインウィンドウには、動画ファイルの再生時間の長さを示すタイムラインバーがファイル名とともに配置可能であり、当該タイムラインバーはマウス操作によって自由に伸張・縮小が可能となっている。さらに、このタイムラインウィンドウには複数の動画ファイルを重畳的に配置することができ、動画ファイルと動画ファイルの間には、映像効果が定義されたトランジッションアイコンを配置することができる。このトランジッションアイコンについては後述する。【００６７】
また、図１１に示すように、タイムラインウィンドウの中にマウスカーソルが配置されている場合において、当該マウスの上下動またはホイールの前方回転または後方回転によって、タイムスケールを拡大・縮小することができる。たとえば、図１１に示すように、タイムラインウィンドウ中に３つのタイムラインバーが配置されている場合、先頭（左側）のタイムラインバーの最先位置と、最後（右側）のタイムラインバーの最後位置はタイムラインウィンドウからはみ出してしまっているが、マウスをクリックした状態で上方向（下方向でもよい）に移動させることによって、タイムラインウィンドウが縮小されて（タイムスケールも縮小され）３つのタイムラインバーの全体がタイムラインウィンドウ中に収まる。【００６８】
また、図１２に示すように、タイムラインウィンドウ中で、タイムラインバーの存在しない箇所にマウスカーソルを配置してクリックすることによって、タイムラインウィンドウ中に配置された全てのタイムラインバーをタイムラインウィンドウ中に表示できる大きさまでタイムスケールが調整（拡大・縮小）される。【００６９】
さらに、図１３に示すように、タイムラインウィンドウ中で、タイムラインバーの存在しない箇所にマウスカーソルを配置してクリック状態を維持して左右に移動（ドラッグ）することによって、タイムスケールが左右にスライド移動する。【００７０】
また、図１４に示すように、タイムラインウィンドウ中で、タイムラインバーがウィンドウ中の端方向に配置されているときに当該タイムラインバー上にマウスカーソルを配置してクリックすることによって、そのタイムラインバーがタイムラインウィンドウの中央に配置され、当該タイムラインバーが収容されるタイムスケールに縮小・拡大される。【００７１】
また、図１５に示すように、タイムラインバーをクリックすると、その両端にｉｎボタンとｏｕｔボタンが表示され、このボタン上にマウスカーソルを配置してドラッグすることによって、動画の開始時間と終了時間を変更可能となっている。ここで、図１６に示すように、ｉｎボタンまたはｏｕｔボタンをドラッグしてタイムラインバーを移動する場合、同図右図に示すように、当該ｉｎボタンまたはｏｕｔボタンは、他のタイムラインバーの端部位置に時間的に揃うように配置される。このときタイムラインバーはこのようなスナップ動作が機能していることを視覚的にユーザに示すために色が変化する（たとば通常は黒色のタイムバーが、黄色に変化する等）。【００７２】
タイムラインウィンドウには、動画を象徴するサムネイルアイコンがドラッグ・アンド・ドロップ操作によって配置可能であるが、そのときに図１７に示すように、その時点でのタイムラインウィンドウに表示しきれない長さの動画である場合、タイムスケールそのものが自動調整（拡大・縮小）されて、タイムラインウィンドウ上での最適操作が可能となる。【００７３】
タイムラインウィンドウのタイムスケール上には最小化ボタンが配置されており（図２６参照）、当該ボタン上にマウスカーソルを配置してクリックすることによって、当該タイムラインウィンドウは最小化されてサムネイルアイコンとして画面上に表示される。【００７４】
また、タイムラインウィンドウのタイムスケール上にはコピーボタンが配置されており（図２７）、同図右図に示すようにタイムラインウィンドウそのものをコピーが可能となっている。【００７５】
（コピー機能）
タイムラインバーはコピーが可能であり、図１８に示すように、ｉｎボタンまたはｏｕｔボタンとともにコピーボタンが表示される状態として、当該コピーボタンをクリックすることによって、同一のタイムラインバーが当該タイムラインウィンドウ中に配置される。【００７６】
なお、このコピー機能は、タイムラインバーに限られず後述のマグネットバーのコピー、さらにはサムネイル自体のコピー（図５１参照）も同様に可能となっている。【００７７】
（リンクコピー機能）
また、タイムラインバーはリンクコピーが可能であり、図１９に示すように、ｉｎボタンまたはｏｕｔボタンとともにリンクコピーボタンが表示される状態として、当該リンクコピーボタンをクリックすることによって、同一のタイムラインバー（リンク表示）が当該タイムラインウィンドウ中に配置される。図１８はタイムラインそのもの（動画データ）をコピー（複製）するのに対して、図１９のリンクコピーは当該動画データのリンク情報だけをコピーするものであり、同一のタイムラインを複製する場合に較べてデータ量を少なくして同じ再生効果を得ることができる。なおこのリンクコピー機能では、図２０に示すように、コピー元のタイムラインバーが修正されると、タイムラインバーの開始位置以外の全ての情報もコピー元と共有されることになる。たとえば、コピー元のタイムラインバーにおいて再生時間が縮小されるとリンクコピーの再生時間も縮小されることになる。【００７８】
（タイムライン選択機能）
タイムラインウィンドウにおいて、マウスの右クリック、または左クリックを長押し状態にした後ドラッグ操作を行うと、タイムラインウィンドウ中にマウスカーソルによる描画（スケッチ）が可能となる（図２１参照）。【００７９】
このスケッチ機能を用いて、複数のタイムラインバー上をなぞると、当該スケッチによる描画線に接触したタイムラインバーが選択状態になる（図２１右図）。また、タイムラインバーの選択は、描画線による囲い込み図形で行ってもよい（図２２参照）。【００８０】
また、任意のタイムラインバーをマウスカーソルで指定してクリックしてそれを長押し状態（所定秒数だけ押した状態を維持する操作）とすることによって、クリックしたタイムラインバーより後の時間に配置されている全てのタイムラインバーを選択可能にしてもよい（図２３参照）。【００８１】
なお、前述のスケッチ機能はタイムライン選択時のみに限られず、図４３および図４４に示すようにデスクトップ画面上に配置されたオブジェクトの選択にも用いることができる。【００８２】
（エフェクトタイムラインバー）
エフェクトタイムラインバー（図２４参照）は、動画のエフェクト効果を象徴するタイムラインバーであり、タイムラインウィンドウの領域外のデスクトップ上ではアイコン（エフェクトアイコン）として存在している。このようなエフェクトアイコンをマウスでドラッグ・アンド・ドロップ操作してタイムラインウィンドウ上に配置すると、エフェクト適用範囲を示すエフェクトタイムラインバーとして表示される。このエフェクトタイムラインバーは、この範囲にシークバーがあるときに再生中の動画像（映像）に対して所定のエフェクト（画像効果）が適用される。【００８３】
図１７は、エフェクトとしてトランジッションエフェクトを意味するトランジッションエフェクトタイムラインバーを配置した例を示しており、タイムラインバー同士が重なっている時間領域に自動的に配置されるようになっている。このエフェクトタイムラインバーは、第１のタイムラインバーから第２のタイムラインバーに再生が移行する際にエフェクト効果が得られるようになっている。【００８４】
（再生範囲表示バー）
再生範囲表示バーにマウスカーソルを配置してダブルクリック操作を行うことによって、再生範囲表示バーの再生開始点は時間的に最先の位置にあるタイムラインバーの再生開始位置に揃うように調整され、再生範囲表示バーの再生終了点は時間的に最後の位置にあるタイムラインバーの終了位置に揃うように調整される（図９の右図参照）。【００８５】
このように、再生範囲表示バーはその範囲内にあるタイムラインバーに適合するように伸張・縮小される。【００８６】
この再生範囲表示バーのｉｎボタンまたはｏｕｔボタンをドラッグして伸張・縮小することによって動画の再生範囲を指定することができる。そして、このｉｎ・ｏｕｔボタンをマウスオーバーすることによって、その再生範囲の長さを数値で表示させることができるようになっている。【００８７】
この再生範囲表示バーはバーそのものをドラッグする（クリック状態を維持する）ことによって当該再生範囲表示バーをその長さのまま移動させることができる。【００８８】
（シークバー）
シークバーは、図５２に示すように、その時点（現在）の再生位置を示している。このシークバーにマウスカーソルを重ね合わせると（マウスオーバー）、その時点の経過時間を数値で表示するようになっている。【００８９】
（マグネット機能）
マグネットバーは図２８に示すように、複数の動画サムネイルを一括管理するシンボル図形であり、その名の通り、サムネイル（動画サムネイル）をその配下として吸着させた状態で管理するものである。【００９０】
マグネットバーの右端に表示された矢印ボタンをドラッグ操作することによって、マグネットバーの長さを変更することができる。これによって、縦方向に所定個数並んでいた動画サムネイルを、横方向に配置し直すことができる。【００９１】
また、マグネット毎にシーンや動画の種類等を意味する文字情報を表示することができ、当該文字情報は変更可能である。またマグネットバー毎に色を変化させることも可能である。その場合には、マグネットバーの左端に表示されている○ボタンをクリックすることによって当該マグネットバーの色を変更することができる。【００９２】
マグネットバーには、コピーボタンが表示されており（図３０）、このコピーボタンをクリック操作することによって、当該マグネットバーをコピーすることができる。また、削除ボタンも配置されておりマグネット自体の削除も可能である。【００９３】
さらに、マグネットバーには鍵を象徴する図形が表示されており（図３０）、当該図形をクリックしてパスワードを入力した場合にのみ当該マグネットバーに含まれる動画サムネイルが閲覧可能となるようにしてもよい。またマグネットバーの配下に配置された動画サムネイル（サムネイルアイコン）は、マウスのドラッグ操作によってその配置位置を入れ替えることが可能である（図３１）。【００９４】
なお、マグネットバーは画面上で非表示（閉じる）とすることも可能であり、図３０の矢印ボタンを左方向にドラッグすると配下のサムネイルが縦方向に並んで表示された後に折り畳まれるように非表示状態となる。【００９５】
またマグネットバー上には再生ウィンドウが表示されるようになっており、マグネットバーの下に配置された動画サムネイル（サムネイルアイコン）が順次再生される（図３２）。【００９６】
マグネットバー下の個々のサムネイルアイコンの間にはトランジッションアイコンを配置することができ（図３３）、再生される動画の間にエフェクト効果を表示させることが可能となっている。また、マグネットバー自体もコピー可能である（図３４）。【００９７】
ここで、前述のタイムラインウィンドウと、マグネットバーとの関係を示したものが図３５である。同図でも明かなように、タイムラインウィンドウもマグネットバーもともに動画の再生が可能である点では共通するが、タイムラインウィンドウが動画をタイムラインバーとして管理するのに対して、マグネットバーは動画をサムネイルの状態のまま管理する点が異なる。【００９８】
また、マグネットバーにはサムネイルアイコンを吸着する領域が設けられており、図５０に示すように、サムネイルアイコンを画面上でマウスで指定し、ドラッグ状態を維持したまま所定方向に勢いをつけて移動し開放することによって、当該サムネイルはデスクトップ画面上を滑るようにしてマグネットバーに吸着されていく。【００９９】
以上説明したように、機能は異なるものの、マグネットバーとタイムラインバーとはいくつかの共通機能を有しており（たとえばサムネイルの再生機能等）、サムネイルをドラッグ移動させてそのバーの特性に応じた編集処理を進めることができる。【０１００】
（行き先マグネット）
次に、当該マグネットの特徴である「行き先マグネット」について図３６及び図５４を用いて説明する。【０１０１】
ここで、行き先マグネットはマグネットバーの配置方向を指示するためのシンボルであり、サムネイルアイコンはこの行き先アイコンによって指示されたマグネットバーに吸着される。たとえば、サムネイルアイコン（第１のオブジェクト）をマウスカーソルで固定して右クリックすると、画面上に散在する全てのマグネットバー（第２のオブジェクト）に対応した行き先マグネットが表示される。この状態でサムネイルアイコンをドラッグ状態のまま移動させて行き先マグネット上で開放すると、サムネイルアイコンはデスクトップ画面上を滑るように移動し、当該行き先アイコンで指示されたマグネットバーに吸着される。【０１０２】
このように、行き先マグネットは、画面上に配置されたサムネイル（動画サムネイル）に対して、複数のマグネットバー（ここではＭａｇｎｅｔ  Ａ〜Ｃ）が配置されていたとき、サムネイルを移動させる行き先（マグネットバー）をそれぞれ当該サムネイルの近傍にアイコンとして表示するものである。【０１０３】
同図の場合、サムネイルの中心を基点として、行き先マグネットＡ〜Ｃが配置されている。本実施例の場合、この行き先マグネットはハート形状を有しており、当該ハート形状の拡いた方向にマグネットが存在していることを意味している。ここでサムネイルの中心からマグネットまでの距離に比例して行き先マグネットも１層〜３層のいずれかに配置されている。【０１０４】
このような行き先マグネットは、処理プログラムがまずサムネイルと画面上に配置されたマグネットバーとの距離を算出し、その距離が近い順にソートする。そして、ソートした順番に同心円の第１層範囲に当該マグネットの方向に応じて行き先アイコンを表示させる。ここで、行き先アイコンを表示しようとしたときに、行き先アイコンの配置位置が他の行き先アイコンと重なってしまうような場合には、同心円の第１層ではなくより距離のある第２層範囲に配置する。さらに、当該第２層でも他の行き先アイコンと重なってしまうような場合には、さらに距離のある第３層範囲に配置する。【０１０５】
なお、行先マグネットはサムネイルのみでなく、画面上に表示されたマグネットバー（便宜上「第１のマグネットバー」という）自体を右クリックすることによっても出現し、この行き先マグネットが指示する他のマグネットバー（「第２のマグネットバー」）に対して当該第１のマグネットバーを吸着させることができる。その場合、吸着されているサムネイルアイコンも全て行先アイコンによって指示された第２のマグネットバーに吸着される。【０１０６】
なお、行き先マグネットは一種のインジケーターアイコンであり、この行き先マグネット自体には単に方向を示す機能しかなく、その行き先を示す対象物（表示オブジェクト）としては、画面上に配置された全てのマグネットバー、さらにマグネットバーに限られず画面上の全てのタイムラインバーその他であってもよい。【０１０７】
（フォルダ監視マグネットバー）
フォルダ監視マグネットは、図３７に示すように、フォルダに新たなファイルが追加されると、当該フォルダの監視用のマグネットバーにも新たなファイルが追加される機能を有している。【０１０８】
（ローカル検索マグネットバー）
ローカルのパーソナルコンピュータに格納されている全てのファイルを検索可能なマグネットバーであり（図３８）、当該マグネットバーに設けられた入力窓に検索キーワードを入力することによって、たとえば当該マグネットバーの下に検索キーワードに関連したサムネイルが収集配置される。【０１０９】
（共有マグネットバー）
共有マグネットは、ファイルの共有フォルダと同じ機能を有しており、ローカルに配置された所定のパーソナルコンピュータ上の共有マグネットバーの下に新たなサムネイル（ここではｍｏｖｉｅ．ｍｏｖ）が追加されると、共有設定されている他のパーソナルコンピュータのマグネットバーの下にも同じファイルが追加されるようになっている。【０１１０】
（Ｗｅｂビューワマグネットバー）
ウェブサーバから収集されたウェブコンテンツファイル（動画ファイル、写真ファイル、ＲＳＳデータファイル）等を管理するマグネットバーである。【０１１１】
（フィルターマグネットバー）
検索条件を入力し、追加を意味するシンボルボタン（ここではハート形）をクリックすると、当該条件に適合したサムネイルだけが収集された当該フィルターマグネットバーに吸着配置される。また、当該フィルターマグネットバーをドラッグ状態にして前述のスケッチ機能を用いて線を描画したり囲い込むことによって、当該描画線に接触したサムネイルまたは囲い込んだ範囲に存在していたサムネイルのみを収集することもできる。【０１１２】
（ゴミ箱マグネットバー）
使用しないサムネイルを集めておくことができる。当該ゴミ箱マグネットバーに収集吸着されたサムネイルは、当該パーソナルコンピュータをログアウトした時に完全に消去されるようにしてもよい。また、所定時間経過後に消去されるようにしてもよい。【０１１３】
（手書きエフェクト機能）
図４５は、手書きエフェクト機能を示したものであり、再生されている動画（映像）上にマウスカーソルを用いてなんらかの手書き入力を行った場合（同図では夏という文字）、追加されたタイミングと同期して当該文字が動画とともに再生されるようになる。【０１１４】
（画面表示機能）
図４６および図４７はタイムラインウィンドウで再生されている動画（映像）を全画面化する方法を説明している。すなわち、タイムラインサムネイル（再生動画（映像））またはサムネイルアイコンをダブルクリックすることによって、当該再生動画（映像）が全画面表示される。【０１１５】
図４８および図４９は、ズームイン、ズームアウト機能を説明したものである。【０１１６】
なお、本実施形態の説明では、画面上に表示されたマウスカーソルをマウスの移動またはマウスボタンの操作によって各種の機能を実現させるようにしたが、このような機能についてはマウスに限らず、画面をタッチパネルにしてタッチペンによる操作、またはユーザの指先のタッチ操作、さらにはパーソナルコンピュータに接続されたタブレット上での操作によって実現してもよい。
【産業上の利用可能性】
【０１１７】
本発明は、映像データ編集技術の他に、デスクトップ画面上で取捨選択を行い
整理するインターフェースとしても適用可能である。たとえば、音楽データ、画
像データの管理システム、さらにはマインドマップ、数式エディタ、ＳＮＳ
（ソーシャル・ネットワーク・サービス）等の画面のユーザーインターフェース
に利用できる。
【図１】
2009020103.tif 000003
【図２】
2009020103.tif 000004
【図３】
2009020103.tif 000005
【図４】
2009020103.tif 000006
【図５】
2009020103.tif 000007
【図６】
2009020103.tif 000008
【図７】
2009020103.tif 000009
【図８】
2009020103.tif 000010
【図９】
2009020103.tif 000011
【図１０】
2009020103.tif 000012
【図１１】
2009020103.tif 000013
【図１２】
2009020103.tif 000014
【図１３】
2009020103.tif 000015
【図１４】
2009020103.tif 000016
【図１５】
2009020103.tif 000017
【図１６】
2009020103.tif 000018
【図１７】
2009020103.tif 000019
【図１８】
2009020103.tif 000020
【図１９】
2009020103.tif 000021
【図２０】
2009020103.tif 000022
【図２１】
2009020103.tif 000023
【図２２】
2009020103.tif 000024
【図２３】
2009020103.tif 000025
【図２４】
2009020103.tif 000026
【図２５】
2009020103.tif 000027
【図２６】
2009020103.tif 000028
【図２７】
2009020103.tif 000029
【図２８】
2009020103.tif 000030
【図２９】
2009020103.tif 000031
【図３０】
2009020103.tif 000032
【図３１】
2009020103.tif 000033
【図３２】
2009020103.tif 000034
【図３３】
2009020103.tif 000035
【図３４】
2009020103.tif 000036
【図３５】
2009020103.tif 000037
【図３６】
2009020103.tif 000038
【図３７】
2009020103.tif 000039
【図３８】
2009020103.tif 000040
【図３９】
2009020103.tif 000041
【図４０】
2009020103.tif 000042
【図４１】
2009020103.tif 000043
【図４２】
2009020103.tif 000044
【図４３】
2009020103.tif 000045
【図４４】
2009020103.tif 000046
【図４５】
2009020103.tif 000047
【図４６】
2009020103.tif 000048
【図４７】
2009020103.tif 000049
【図４８】
2009020103.tif 000050
【図４９】
2009020103.tif 000051
【図５０】
2009020103.tif 000052
【図５１】
2009020103.tif 000053
【図５２】
2009020103.tif 000054
【図５３】
2009020103.tif 000055
【図５４】
2009020103.tif 000056
【国際調査報告】
2009020103.tif 000057
2009020103.tif 000058
2009020103.tif 000059